(57)【要約】【課題】誤消去防止弁を備えたテープカートリッジにおいて、誤消去防止弁のスライド性能を確保しながら、誤消去防止弁を記録可能位置と記録不可位置とに確実に位置決め保持する。【解決手段】カートリッジケース１内に、記録可能位置と記録不可位置とにわたってスライド操作される誤消去防止弁１３を備えている。誤消去防止弁１３は、ケース外に臨む操作用のベース１９と、このベース１９から上向きに片持ち連出されて左右方向に弾性変形可能な弾性腕２７とを有する。カートリッジケース１の横側壁９の上下には、係合凹部１７・１７が設けられている。誤消去防止弁１３の弾性腕２７の延出端には、上下の各係合凹部１７にそれぞれ嵌入係合できる係合突起２９が突設されている。前記弾性腕２７の延出端には、前記係合突起２９よりも上方先端側に、前記横側壁９の前記係合凹部１７まわりの内面に受け止められる接触面３０を持つ延長部３１が延長形成されている。【選択図】図１
2007048405.tif 000002
【特許請求の範囲】
【請求項１】
カートリッジケース内に、これの周側壁の一部内面に沿って誤消去防止弁が、記録可能位置と記録不可位置とにわたってケース外からスライド操作可能に装着されており、
前記誤消去防止弁を前記記録可能位置と前記記録不可位置とにおいてそれぞれ位置決め保持するシフト手段を備えており、
前記シフト手段は、前記カートリッジケースの前記周側壁の選ばれた二位置に設けられて前記周側壁の内面側からみて凹んでいる係合凹部と、前記誤消去防止弁側に片持ち連出されて前記カートリッジケースの前記周側壁に対して内外方向に弾性変形し得る弾性腕と、前記弾性腕の延出端に突設されて前記係合凹部にそれぞれ選択的に嵌入係合できる係合突起とを含み、
前記弾性腕の延出端には、前記係合突起よりも先端側に、前記カートリッジケースの前記係合凹部まわりの内面に受け止められる接触面を持つ延長部が延長形成されていることを特徴とするテープカートリッジ。
【請求項２】
前記弾性腕の前記延長部には、前記接触面につながる傾斜面が形成されている請求項１記載のテープカートリッジ。
【請求項３】
カートリッジケースと、前記カートリッジケースに内蔵される磁気テープと、前記カートリッジケース内に記録可能位置と記録不可位置とにわたってケース外からスライド操作可能に装着される誤消去防止弁と、前記誤消去防止弁を前記記録可能位置と前記記録不可位置とにおいてそれぞれ位置決め保持するシフト手段とを備えており、
前記カートリッジケースには、左右の一方の横側壁と底壁とを跨いで、前記カートリッジケース内に前記誤消去防止弁を差し込み装着するための開口部が切り欠き形成されており、
前記誤消去防止弁は、前記開口部を介して前記カートリッジケース外に臨む操作用のベースと、前記ベースから上向きに片持ち連出されて左右方向に弾性変形可能な弾性腕とを含み、
前記シフト手段が、前記カートリッジケースの前記横側壁の上下位置に設けられて前記横側壁の内面側からみて凹んでいる二つの係合凹部と、前記誤消去防止弁の前記弾性腕の延出端に突設されて前記係合凹部にそれぞれ選択的に嵌入係合できる係合突起とを含み、
前記弾性腕の延出端には、前記係合突起よりも上方先端側に、前記横側壁の前記係合凹部まわりの内面に受け止められる接触面を持つ延長部が延長形成されていることを特徴とするテープカートリッジ。
【請求項４】
前記弾性腕の前記延長部には、前記接触面につながる傾斜面が形成されている請求項３記載のテープカートリッジ。
【請求項５】
前記カートリッジケースに対して前記誤消去防止弁は、前記係合突起が下側の前記係合凹部に係合する前記記録可能位置と、前記係合突起が上側の前記係合凹部に係合する前記記録不可位置との間にわたって上下スライド自在に装着されている請求項３記載のテープカートリッジ。
【請求項６】
下側の前記係合凹部の開口上縁部が、角落とし形成されており、
上側の前記係合凹部の開口下縁部が、角落とし形成されている請求項５記載のテープカートリッジ。
【請求項７】
前記弾性腕の全体が、前記カートリッジケースの横側壁の垂直状の内面に向かって傾斜するようくせ付け形成されている請求項６記載のテープカートリッジ。
【発明の詳細な説明】
【技術分野】
【０００１】
本発明は、誤消去防止弁を備えたテープカートリッジに関する。
【背景技術】
【０００２】
本発明が対象とするテープカートリッジの基本形態は、これを添付図面で説明すると、カートリッジケース１と、カートリッジケース１に内蔵される磁気テープ３と、カートリッジケース１内に記録可能位置と記録不可位置とにわたってケース外からスライド操作可能に装着されるプラスチック製の誤消去防止弁１３と、誤消去防止弁１３を前記記録可能位置と前記記録不可位置とにおいてそれぞれ位置決め保持するシフト手段とを備えている。
【０００３】
カートリッジケース１（下ケース１ｂ）には、左右の一方の横側壁９と底壁１０とを跨いで、カートリッジケース１内に誤消去防止弁１３を差し込み装着するための開口部１２が切り欠き形成されている。誤消去防止弁１３は、前記開口部１２を介してケース外に臨む操作用のベース１９と、このベース１９から上向きに片持ち連出されて左右方向に弾性変形可能な弾性腕２７とを含む。
【０００４】
前記シフト手段は、カートリッジケース１の横側壁９の上下位置に設けられた二つの係合凹部１７・１７と、誤消去防止弁１３の弾性腕２７の延出端に突設されて各係合凹部１７にそれぞれ選択的に嵌入係合できる係合突起２９とを含む。
【０００５】
【特許文献１】特開平７−１３４８８４号公報
【特許文献２】特開２００１−３１９４５９号公報
【発明の開示】
【発明が解決しようとする課題】
【０００６】
しかるに、従来例は図７に示すごとく、誤消去防止弁１３の弾性腕２７の上端に係合突起２９が突設されていた。
【０００７】
これでは、カートリッジケース１ないし誤消去防止弁１３の成形精度のバラつき、使用環境（とくに熱）による各部の変形や、組み付け精度不良などが重なった場合に、各係合凹部１７に対する係合突起２９の嵌入寸法Ｌ１に過不足を生じることがある。嵌入寸法Ｌ１が不足すると、誤消去防止弁１３のスライド性能は確保できても、誤消去防止弁１３が記録可能位置から記録不可位置へ、又は逆に不用意に切り換わってしまう。
【０００８】
更に、頻発する問題は、前記嵌入寸法Ｌ１が過大になった場合である。この場合は、誤消去防止弁１３が記録可能位置または記録不可位置にロック保持されてスライド操作不能に陥る。この状態で誤消去防止弁１３を強引に切り換え操作すると、係合凹部１７まわり特に係合突起２９が損傷を受け勝ちである。下ケース１ｂに対する誤消去防止弁１３の差し込み装着も困難となり、組み付け作業性も悪くなる。
【０００９】
そこで本発明の目的は、カートリッジケースに対する誤消去防止弁の組み付け作業性を確保する。カートリッジケースに対する誤消去防止弁のスライド性能を確保するにある。
【００１０】
そのうえで本発明の目的は、成形精度のバラつきや経時変化などがあっても、カートリッジケースに対して誤消去防止弁を記録可能位置と記録不可位置とに確実に位置決め保持できながら、各シフト位置へ誤消去防止弁を円滑に切り換え操作できるテープカートリッジを提供することにある。
【課題を解決するための手段】
【００１１】
そのために本発明は、先の基本形態からなるテープカートリッジにおいて、図１に示すごとく誤消去防止弁１３の弾性腕２７の延出端に注目し、該当部位における前記係合突起２９よりも先端側に、前記横側壁９の前記係合凹部１７まわりの内面に受け止められる接触面３０を持つ延長部３１が延長形成されていることを特徴とする。
【００１２】
前記弾性腕２７の延長部３１には、前記接触面３０につながる傾斜面３２を形成することができる。
【００１３】
カートリッジケース１に対して誤消去防止弁１３は、係合突起２９が下側の係合凹部１７に係合する記録可能位置と、係合突起２９が上側の係合凹部１７に係合する記録不可位置との間にわたって上下スライド自在に装着することができる。その際に、下側の係合凹部１７の開口上縁部３５は角落とし形成し、上側の係合凹部１７の開口下縁部３６も角落とし形成すればよい。
【００１４】
そのうえで、前記弾性腕２７の全体は、ケース横側壁９の垂直状の内面に向かって傾斜するよう予めくせ付け形成しておくことが望まれる。
【発明の効果】
【００１５】
かかる本発明によれば、誤消去防止弁１３の前記接触面３０がケース横側壁９の内面に受け止められることで、各係合凹部１７に対する係合突起２９の嵌入寸法Ｌは常に一定に過不足なく規定できる。したがって、装着状態における誤消去防止弁１３のスライドに多少の融通ガタがあっても、誤消去防止弁１３を記録可能位置と記録不可位置とにおいて確実に位置決め保持しておける。
【００１６】
このことは、カートリッジケース１に対する誤消去防止弁１３の組み付け作業性が良好になり、誤消去防止弁１３の切り換え操作も手軽に行えることを意味する。前記係合突起２９を含む各部の損傷防止にもつながる。
【００１７】
前記弾性腕２７の延長部３１に、下端が前記接触面３０につながる傾斜面３２が形成されていると、カートリッジケース１内に前記開口部１２を介して誤消去防止弁１３を下方から差し込み装着する際に、カートリッジケース１の横側壁９に臨む開口部１２の開口上端縁１２ａに傾斜面３２が接触案内されて弾性腕２７を内向きに弾性変形させるよう作用するので、カートリッジケース１に対する誤消去防止弁１３の差し込み装着が突っ掛かることなく容易に行え、この組み付け時における係合突起２９の損傷防止にも有効である。
【００１８】
カートリッジケース１の横側壁９の上下に係合凹部１７・１７を配し、下側の係合凹部１７に係合突起２９が係合した状態を記録可能位置、上側の係合凹部１７に係合突起２９が係合した状態を記録不可位置にそれぞれ設定したとき、下側の係合凹部１７の開口上縁部３５が角落とし形成されていると、係合突起２９を下側の係合凹部１７から無理なく記録不可位置に向かって離脱させることができる。また、上側の係合凹部１７の開口下縁部３６が角落とし形成されていると、係合突起２９を上側の係合凹部１７からも無理なく下方の記録可能位置に向かって離脱させることができる。これにより、各係合凹部１７の開口縁まわり及びとくに係合突起２９の損傷防止を図りながら、誤消去防止弁１３を記録可能位置と記録不可位置とに円滑にスライドさせて切り換え操作できる。
【００１９】
誤消去防止弁１３の弾性腕２７の全体が、カートリッジケース１の横側壁９の垂直状の内面に向かって傾斜するようくせ付け形成されていると、弾性腕２７の前記接触面３０をケース横側壁９の係合凹部１７まわりの内面に初期ばね圧を付与した状態で確実に受け止めることができるから、各係合凹部１７に係合突起２９が規定の嵌入寸法Ｌを以て確実に係入する。とくに、この嵌入寸法Ｌが不足することはない。
【発明を実施するための最良の形態】
【００２０】
図１ないし図５は、本発明を放送業務用のベータカム（登録商標）方式のテープカートリッジに適用した実施例を示す。図２および図３においてテープカートリッジは、プラスチック製の上下ケース１ａ・１ｂを蓋合わせ状にねじ結合してなる横長角箱状のカートリッジケース１の内部左右に、磁気テープ３が巻かれる一対のテープリール２・２が回転自在に収納配置されている。
【００２１】
カートリッジケース１の前面中央には、テープローディング用のポケット５が凹み形成されており、その前方の左右両側にテープガイド６・６が配置されていて、両テープガイド６・６で磁気テープ３が走行案内される。不使用時の磁気テープ３を保護するために、カートリッジケース１の前部には、上開き操作される前蓋７が回動自在に装着されている。
【００２２】
カートリッジケース１の三方周側壁の一箇所、具体的には下ケース１ｂの左右の一方の横側壁９を選んでこれに誤消去防止手段が設けられている。図示例の誤消去防止手段は、図２において左側に位置する下ケース１ｂの横側壁９の前方寄り部位の下端に、下ケース１ｂの横側壁９と底壁１０とを跨いで内凹み状に切り欠き形成された開口部１２と、この開口部１２を介してカートリッジケース１（下ケース１ｂ）内に下方から差し込み装着されるプラスチック製の誤消去防止弁１３とを含む。
【００２３】
誤消去防止弁１３は、下ケース１ｂ内において上下スライド自在である。ユーザーは誤消去防止弁１３を下方の記録可能位置（図１参照）と、上方の記録不可位置（図６参照）とにケース外から切り換え操作できる。
【００２４】
テープデッキにテープカートリッジを装填したとき、図３に示すごとく、テープデッキ側の検出ピン１５が誤消去防止弁１３の上下高さ位置を検出することにより、磁気テープ３へのデータ書き込みの可否が判別される。
【００２５】
下ケース１ｂの内側には、開口部１２の開口周縁に平面視でコ字形のガイド壁１６が上向きに突設されている。下ケース１ｂの横側壁９には、開口部１２の上方において二つの係合凹部１７・１７がそれぞれ上下に間隔を置いて内外貫通状に形成されている。
【００２６】
図１および図５において誤消去防止弁１３は、下端に位置する水平な四角平板状のベース１９と、ベース１９の左端（図１では右端）寄り部位から上向きに突設されて前記横側壁９の内面に臨む壁部２０と、ベース１９の後縁から上向きに突設された壁部２１とを有するプラスチック成形品である。両壁部２０・２１は、平面視においてＬ字形につながっている。
【００２７】
下ケース１ｂには、図４に示すごとく開口部１２の前端側に縦向きのガイド溝２２が形成されており、誤消去防止弁１３の前記壁部２０の前端がガイド溝２２に嵌合していて、誤消去防止弁１３はガイド溝２２に沿って上下方向にガタつきなくスライド案内される。
【００２８】
ベース１９の後ろ側の壁部２１には、これの左端から係止腕２３が上向きに片持ち連出されており、係止腕２３の上端に係止部２５が突出形成されている。下ケース１ｂの開口部１２に誤消去防止弁１３を差し込み装着したとき、外側方の前記壁部２０が横側壁９の内面に添い、誤消去防止弁１３が下限に移動した記録可能位置にあるとき、係止腕２３の係止部２５が、図１に示すごとく横側壁９に対向するガイド壁１６の対向壁部１６ａの上端に受け止められ、これで下ケース１ｂから誤消去防止弁１３が下方に抜け外れるのを規制している。
【００２９】
図１および図５において、外側方の前記壁部２０の下端には、突縁２６が横外側方に向けて一体に張り出し形成されている。誤消去防止弁１３が上方の記録不可位置に押し上げ操作されたとき、前記突縁２６は、図６に示すごとく前記開口部１２における横側壁９の上端開口縁１２ａに接触ないし近接対向している。
【００３０】
誤消去防止弁１３を下方の記録可能位置と、上方の記録不可位置とにおいてそれぞれ位置決め保持するためのシフト手段を備えている。そのシフト手段は、誤消去防止弁１３の前記壁部２０から上方に向けて片持ち状に連出されて左右（内外）方向に弾性変形可能な弾性腕２７と、前記係合凹部１７・１７と、弾性腕２７の上端に外向きに一体突設されて上下の各係合凹部１７にそれぞれ選択的に嵌入係合できる係合突起２９とを含む。
【００３１】
本発明では、かかるシフト手段において、弾性腕２７の係合突起２９よりも上方先端側に、下ケース１ｂの横側壁９における係合凹部１７まわりの内面に受け止められる垂直な接触面３０を持つ延長部３１が延長形成されている。この延長部３１の上端角部には、下端が前記接触面３０につながる傾斜面３２が角落とし状に形成されている。
【００３２】
誤消去防止弁１３の係止腕２３の係止部２５にも、ケース内方側の上端角部に傾斜案内面３３が角落とし形成されている。したがって、これら傾斜案内面３３および前記傾斜面３２が形成されていること、係止腕２３および弾性腕２７が内外（左右）方向に弾性変形可能に片持ち連出されていることが相まって、下ケース１ｂ内に開口部１２を介して誤消去防止弁１３を簡単に差し込み装着できる。
【００３３】
誤消去防止弁１３が下降限界の記録可能位置（図１）にあるとき、弾性腕２７の係合突起２９は、下側の係合凹部１７に嵌入係合する。このとき、弾性腕２７の上端の延長部３１に形成した接触面３０が、先当たり状態でケース横側壁９の内面に受け止められて、下側係合凹部１７に対する係合突起２９の嵌入寸法Ｌを一定値に規定する。この図１の状態において、誤消去防止弁１３のベース１９の下面は、下ケース１ｂの底壁１０の外側下面と面一状になっている。下側の係合凹部１７と係合突起２９との係合は、誤消去防止弁１３の下方への抜け外れを防止する一助になっている。
【００３４】
いま、ユーザーが図１の状態から誤消去防止弁１３のベース１９の下面に指先などを当てて誤消去防止弁１３を突き上げると、弾性腕２７はこれの上端側がケース内方に傾くよう弾性変形し、これで係合突起２９が下側係合凹部１７から離脱する。このとき、下側係合凹部１７の内側の開口上縁部３５は、丸く角落とし形成されているので、係合突起２９は係合凹部１７から円滑に離脱する。
【００３５】
誤消去防止弁１３を更に押し上げると、下側の係合凹部１７から離脱した係合突起２９がケース横側壁９の内面を滑り移動し、弾性腕２７の弾性復元力で係合突起２９が上側の係合凹部１７に嵌入係合し、これで誤消去防止弁１３が記録不可位置にセットされる。このときも、弾性腕２７の上端の延長部３１に形成した接触面３０は、ケース横側壁９の内面に先当たり状に受け止められて、上側係合凹部１７に対する係合突起２９の嵌入寸法Ｌを一定値に規定する。
【００３６】
上側係合凹部１７の内側の開口下縁部３６も丸く角落とし形成されているので、記録不可位置から下方の記録可能位置に誤消去防止弁１３を押し下げ操作するとき、係合突起２９は該当の係合凹部１７から円滑に離脱する。なお、誤消去防止弁１３の前記押し下げ操作は、前記突縁２６に爪先を掛けるなどして行う。
【００３７】
上側の係合凹部１７と係合突起２９との係合は、誤消去防止弁１３の上動限界を規制している。但し、更に強く誤消去防止弁１３が突き上げられたときは、前記突縁２６が前記開口部１２の上端開口縁１２ａに受け止められて、誤消去防止弁１３の上昇が最終的に規制される。
【００３８】
自由状態における弾性腕２７の全体は、ベース１９上においてケース横側壁９の垂直状の内面に向かって傾斜するようくせ付け形成されている。したがって、弾性腕２７の前記接触面３０は、ケース横側壁９の各係合凹部１７まわりの内面に初期ばね圧が付与された状態で確実に受け止められ、各係合凹部１７に対する係合突起２９の嵌入寸法Ｌに不足を生じることはない。このことは、ケース横側壁９に対して弾性腕２７を必要以上に緊密に摺接させずとも済むことを意味し、誤消去防止弁１３のスライド性能を円滑に確保できることにつながる。
【００３９】
上記構成の誤消去防止手段によれば、成形精度や組み付け精度などに多少のバラつきがあっても、誤消去防止弁１３を記録可能位置と記録不可位置とに切り換え操作する際に、誤消去防止弁１３のスライド操作力が変動するのを長期にわたって効果的に防ぐことができる。とくに各係合凹部１７に対する係合突起２９の係合力が異常に大きくなって、スライド不能や各部の損傷を招くことがなくなる。
【００４０】
カートリッジケース１の横側壁９に設けるべき係合凹部１７・１７は、貫通孔に代えて、該当の横側壁９の内面側からみて凹み状に形成されていてもよい。
【図面の簡単な説明】
【００４１】
【図１】誤消去防止弁が記録可能位置にあるときの図３のＡ−Ａ線断面図
【図２】全体の平面図
【図３】要部の側面図
【図４】要部の横断平面図
【図５】誤消去防止弁の斜視図
【図６】誤消去防止弁が記録不可位置にあるときの要部の縦断側面図
【図７】従来例を説明する要部の縦断側面図
【符号の説明】
【００４２】
１  カートリッジケース
１ａ  上ケース
１ｂ  下ケース
３  磁気テープ
９  横側壁
１０  底壁
１２  開口部
１３  誤消去防止弁
１７  係合凹部
２７  弾性腕
２９  係合突起
３０  接触面
３１  延長部
３２  傾斜面
【図１】
2007048405.tif 000003
【図２】
2007048405.tif 000004
【図３】
2007048405.tif 000005
【図４】
2007048405.tif 000006
【図５】
2007048405.tif 000007
【図６】
2007048405.tif 000008
【図７】
2007048405.tif 000009